(57)【特許請求の範囲】
【請求項１】
動作を行う動作装置に信号接続されて該動作装置の関連情報を表示する表示部を備えた表示装置であって、前記表示部には複数の表示用セグメントが予め定められた配設位置に配設された表示ブロックが１つ以上設けられ、該表示ブロックの少なくとも１つは前記複数の表示用セグメントのうち予め定められる１つ以上の表示用セグメントを点灯させることによって数値を表示する機能を有する数値表示可ブロックと成しており、該数値表示可ブロックに表示情報を数値により表示する情報表示手段と、予め定められた設定動作モードの動作中であるかどうかを判断する動作モード動作状態判断手段と、該動作モード動作状態判断手段によって前記設定動作モードの動作が動作中であると判断されているときに少なくとも１つの前記数値表示可ブロックを形成する複数の表示用セグメントのうち１つ以上の表示用セグメントを点灯させることにより前記情報表示手段により表示される前記表示情報を数値により表示し、かつ、該表示情報の全ての桁の数値を利用者が把握できる形態を維持しながら前記表示情報の数値を形成する前記表示用セグメントのうちの少なくとも１つの表示用セグメントを点滅させるようにして該点滅させる表示用セグメントを時系列的に移動させる動作を含む予め定められたセグメント点滅変化態様で点滅させる動作モード動作中表示を行う動作モード情報表示手段とを有することを特徴とする表示装置。
【請求項２】
動作を行う動作装置に信号接続されて該動作装置の関連情報を表示する表示部を備えた表示装置であって、前記表示部には複数の表示用セグメントが予め定められた配設位置に配設された表示ブロックが１つ以上設けられ、該表示ブロックの少なくとも１つは前記複数の表示用セグメントのうち予め定められる１つ以上の表示用セグメントを点灯させることによって数値を表示する機能を有する数値表示可ブロックと成しており、該数値表示可ブロックに時計情報と前記動作装置の制御情報と該動作装置の故障情報の少なくとも１つを含む表示情報を数値により表示する情報表示手段と、予め定められた設定動作モードの動作中であるかどうかを判断する動作モード動作状態判断手段と、該動作モード動作状態判断手段によって前記設定動作モードの動作が動作中であると判断されているときに少なくとも１つの前記数値表示可ブロックを形成する複数の表示用セグメントのうち１つ以上の表示用セグメントを前記情報表示手段により表示される前記表示情報の数値を利用者が把握できる形態を維持しながら変化する予め定められたセグメント点滅変化態様で点滅させる動作モード動作中表示を行う動作モード情報表示手段とを有し、前記動作モード動作中表示が行われるセグメント点滅変化態様は、表示情報が表示されている前記数値表示可表示ブロックの少なくとも１つの数値表示可ブロックにおいて外周部に配設されている複数の表示用セグメントのうちの１つ又は複数の隣り合う表示用セグメント又は互いに間隔を介して配設された複数の表示用セグメントを、前記数値表示可ブロックの外周方向に順に点灯していく動作と順に消灯していく動作と前記数値表示の点灯部位は消灯して消灯部位は点灯する動作を順に行う動作のいずれかの表示用セグメント時系列変化動作を行うことによって、前記情報表示手段により表示される前記表示情報の数値を利用者が把握できる形態を維持しながら前記数値表示可ブロックにおける前記数値表示の外周部の表示用セグメントが前記数値表示の外周側に沿って周回しているように見せかける疑似周回表示態様とすることを特徴とする表示装置。
【請求項３】
数値表示可ブロックは複数設けられ、動作モード情報表示手段による表示用セグメント時系列変化動作は、前記複数の数値表示可ブロックを１つのブロック集合体と見なしたときに該ブロック集合体において外周部に配設されている複数の表示用セグメントのうちの１つ又は複数の隣り合う表示用セグメント又は互いに間隔を介して配設された複数の表示用セグメントを、前記ブロック集合体の外周方向に順に点灯していく動作と順に消灯していく動作と表示情報の数値を形成する表示用セグメントの点灯部位は消灯して消灯部位は点灯する動作を順に行う動作のいずれかの動作としたことを特徴とする請求項２記載の表示装置。
【請求項４】
動作モード情報表示手段は、動作装置によって行われる設定動作が予め定められる設定時間で終了する時限付き動作の時には前記設定時間の経過終了時に近づいて該設定時間経過終了まで予め定められる設定間近時間となった以降に表示用セグメントの変化タイミングをそれまでよりも速めることにより、該表示用セグメントの変化タイミングを速める前よりも速めてからの方が数値表示の外周部の表示用セグメントが前記数値表示の外周側に沿って速く周回しているように見せかける疑似周回表示可変手段を有していることを特徴とする請求項２または請求項３記載の表示装置。
【請求項５】
動作モード動作中表示が行われる表示用セグメントは、動作装置の制御情報のうち該動作装置により行われる設定動作モードの動作に関連する情報が表示されている数値表示可ブロックの表示用セグメントを含むことを特徴とする請求項１乃至請求項４のいずれか一つに記載の表示装置。
【請求項６】
動作モード動作中表示が行われる表示用セグメントは、動作装置の制御情報のうち該動作装置により行われる設定動作モードの動作に関連する情報以外の表示情報が表示されている数値表示可ブロックの表示用セグメントを含むことを特徴とする請求項１乃至請求項５のいずれか一つに記載の表示装置。
【請求項７】
設定動作モードの動作により予め定められる設定効果が発揮されるまでの待機状態を判断する動作モード効果待機状態判断手段を有し、動作モード情報表示手段は、動作モード動作中表示を行う代わりに、前記動作モード効果待機状態判断手段により前記待機状態中であると判断されているときに少なくとも１つの数値表示可ブロックを形成する複数の表示用セグメントのうち１つ以上の表示用セグメントを情報表示手段により表示される表示情報の数値を利用者が把握できる形態を維持しながら変化する予め定められたセグメント点滅変化態様で点滅させる動作モード待機中表示を行うことを特徴とする請求項１乃至請求項６のいずれか一つに記載の表示装置。
【請求項８】
待機状態の期間が終了する時に近づいて該待機時間終了まで予め定められる設定間近時間となった以降に、表示用セグメントの変化タイミングをそれまでよりも速める表示可変手段を有していることを特徴とする請求項７記載の表示装置。
【請求項９】
動作を行う動作装置に信号接続されて該動作装置の関連情報を表示する表示部を備えた表示装置であって、前記表示部には複数の表示用セグメントが予め定められた配設位置に配設された表示ブロックが１つ以上設けられ、該表示ブロックの少なくとも１つは前記複数の表示用セグメントのうち予め定められる１つ以上の表示用セグメントを点灯させることによって数値を表示する機能を有する数値表示可ブロックと成しており、該数値表示可ブロックに表示情報を数値により表示する情報表示手段と、予め定められた設定動作モードの動作中であるかどうかを判断する動作モード動作状態判断手段とを有し、前記数値表示可ブロックの少なくとも１つは前記情報表示手段によって前記表示情報が数値により表示される情報表示部位と前記動作装置の設定動作モードの動作中であることを表示するための動作モードの表示部位とを隣接して設けた構成と成し、前記動作モード動作状態判断手段によって前記設定動作モードの動作が動作中であると判断されているときに、前記情報表示部位の全ての桁の数値を利用者が把握できる形態を維持しながら前記動作モードの表示部位の外周側に配置される表示用セグメントを順次周回方向に点灯していき、当該外周側の全ての表示用セグメントが点灯されて０の数値が表示された時にはその点灯された全ての表示用セグメントを一旦消灯した後に再び前記動作モードの表示部位の外周側に配置される表示用セグメントを順次周回方向に点灯していく動作を繰り返すという如く動作モード動作中表示を行う動作モード情報表示手段を有することを特徴とする表示装置。
【請求項１０】
表示装置は、動作装置としての熱源装置に信号接続されるリモコン装置としたことを特徴とする請求項１乃至請求項９のいずれか一つに記載の表示装置。
【請求項１１】
請求項１乃至請求項１０のいずれか一つに記載の表示装置と動作装置とが信号接続されて形成されていることを特徴とする表示システム。
【発明の詳細な説明】
【技術分野】
【０００１】
本発明は、例えば熱源装置等の動作装置に信号接続されるリモコン装置等の表示装置およびその表示装置を用いた表示システムに関するものである。
【背景技術】
【０００２】
従来、給湯や暖房、風呂の追い焚き等、様々な動作を行う動作装置としての熱源装置が用いられており、熱源装置は、通常、その操作用のリモコン装置に接続されている。
【０００３】
図７（ａ）には、リモコン装置の一例の外観図が模式的に示されている。同図に示されるリモコン装置は、例えば屋内の浴室に設置される風呂リモコン装置であり、例えば浴室壁面に固定されている。浴室配置のリモコン装置１の設置位置は、浴槽内からリモコン装置１の表示画面が見易く、かつ、リモコン装置１を操作しやすい位置となっている。
【０００４】
なお、このリモコン装置に接続されている熱源装置は、例えば図８に示すような複合給湯器２７であり、その構成についての説明は後述するが、例えば給湯機能と、浴槽への自動湯張り機能、追い焚き機能、足し湯機能、浴室暖房機能を具備する。複合給湯器２７は、これらの機能の制御を行う制御装置を備え、その制御装置に、例えば２芯の信号線を用いてリモコン装置１が接続されている。
【０００５】
図７（ａ）に示されているリモコン装置１の筐体ケースの表面側には、前記表示部としての表示画面３２が設けられている。表示画面３２は、液晶や有機ＥＬ（Ｅｌｅｃｔｒｏ  Ｌｕｍｉｎｅｓｃｅｎｃｅ；エレクトロルミネッセンス）やＬＥＤ（発光ダイオード）等によって形成されており、例えば図８に示すような、複合給湯器２７の制御情報（制御関連情報）が表示画面３２に表示される。この例では、表示画面３２に、給湯設定温度（４１℃）と、風呂設定温度（４１℃）が示されている。
【０００６】
表示画面３２の側部には、複合給湯器２７の可動の有無を操作するための運転スイッチ３５と、複合給湯器２７の自動運転を指示する自動スイッチ３６と、浴槽湯水の追い焚き運転を指示する追い焚きスイッチ３７と、浴槽への足し湯を指示するたし湯スイッチ３９と、浴室暖房を指示する浴室暖房スイッチ３８と、スピーカ３４とが設けられている。
【０００７】
スイッチ３５，３６，３７，３８，３９には、例えばＬＥＤ（発光ダイオード）等により形成されたランプ４０が設けられており、そのスイッチごとに、スイッチの動作が指示されたとき（オン動作されたとき）にはランプ４０の点灯（又は点滅）表示が行われ、スイッチ動作の解除指示がされたとき（オフ動作されたとき）にはランプ４０は消灯されるように構成されている。また、リモコン装置１の筐体ケースの内部には図示されていないマイクが内蔵されている。
【０００８】
運転スイッチ３５は、スイッチオンとすることにより、リモコン装置１の運転をオン（電源をオン）として回路を動作可能な状態にし、スイッチオフとすることにより、運転をオフして回路動作を停止状態とするものである。複合給湯器２７の給湯機能の動作はこの運転スイッチ３５がオンの状態で行われる。
【０００９】
自動スイッチ３６は、湯張り動作から保温動作にかけての一連の動作の開始と停止を指令するものであり、スイッチオンによりその動作が開始され、その動作終了時に自動的にオフする。スイッチオフの状態では動作停止状態となる。
【００１０】
追い焚きスイッチ３７は、風呂の追い焚きの開始と停止とを指令するものであり、スイッチオンにより追い焚きが開始され、スイッチオフにより追い焚き停止状態とする。たし湯スイッチ３９は、浴槽内への湯の足し湯を指令するものである。
【００１１】
浴室暖房スイッチ３８は、浴室暖房の開始と停止とを指令するものであり、スイッチオンにより浴室暖房運転が開始され、例えば予め設定されたタイマー時間だけ浴室内の暖房が行われる。なお、浴室暖房を途中で停止したい場合には、オン状態の浴室暖房スイッチ３８を押してスイッチオフにより浴室暖房運転を停止することもできる。
【００１２】
スピーカ３４は、例えば自動スイッチ３６がオンとされて自動湯張り動作が終了したときに、「お風呂が沸きました」といった音声ガイダンスを発信したり、確認音や予め設定されている短い音楽（ＢＧＭ）を発信したりすることを行う。
【００１３】
表示画面の下部側には扉６０が設けられ、この扉６０の奥（下）には図示されていない設定関連操作手段が設けられており、扉６０を開けて設定関連操作手段を操作することによって、給湯設定温度の設定や湯張り温度の設定、浴槽水位の設定等の設定が適宜行われるようになっている。
【００１４】
リモコン装置１に接続されている複合給湯器２７は、例えば屋外に配置されるものであり、図８に示されるように、各運転機能の動作を行う構成要素が器具ケース５４内に設けられている。複合給湯器２７は給湯回路２と暖房回路１２を有しており、暖房回路１２には、液−液熱交換器の追い焚き熱交換器６３を介して浴槽湯水の追い焚き回路としての追い焚き循環通路６８が熱的に接続されている。また、この例では、暖房回路１２に、高温暖房装置である浴室暖房機２５と温水マット等の床暖房装置５９とが接続されている状態が示されているが、暖房回路１２に接続される暖房装置は、これらの装置の他にも様々な装置が適宜接続されるものであり、例えば狭小空間暖房用の暖房装置等、必要な装置の接続が可能と成している。
【００１５】
この複合給湯器２７において、給湯機能の動作は、リモコン装置１の運転スイッチ３５をオンした状態で給湯管路１１の給湯先に設けられている給湯栓（図示せず）を開くことにより開始される。この動作は、複合給湯器２７に設けられている制御装置（図示せず）の燃焼制御手段により制御され、給水通路１０に導入される水の入水温と給湯量に基づき、給湯温度センサ６による給湯温（出湯温）が給湯設定温度となるように、燃焼ファン７を回転させながら、燃焼室８内に設けられた給湯バーナ３を燃焼して給湯熱交換器４，５（メインの熱交換器４、潜熱回収用熱交換器５）を通る水を加熱して湯を作成し、給湯管路１１を通して台所や浴室等の給湯先へ湯を供給する。
【００１６】
複合給湯器２７の自動運転は、湯張り機能の動作、追い焚き機能の動作、保温機能の動作を連続的に行うもので、運転スイッチ３５がオンされている状態で、前記自動スイッチ３６をオンすることにより開始するものである。自動スイッチ３６がオンされると、前記給湯機能の動作と同様に給湯熱交換器４，５を通って加熱された湯が、湯張り用の通路（注湯通路６１と追い焚き循環通路６８等）を通って浴槽７０に落とし込まれることにより、浴槽７０への湯張りが行われる。
【００１７】
この湯張りは、湯張り用の注湯通路６１に設けられた注湯電磁弁６２が開かれて行われるものであり、湯張りの後には、適宜の保温動作が行われることが多く、その保温動作に伴って追い焚き運転が行われたり、保水動作が行われたりする。また、前記追い焚きスイッチ３３がオンされたときに追い焚き運転が行われ、たし湯スイッチ３９がオンされたときに例えば２０リットルといったような予め定められている設定量の湯が浴槽７０に足される（湯張りと同様の動作によって浴槽７０内に湯が注湯される）が、これらの追い焚き運転動作、保水、足し湯等の動作についての動作は周知であり、ここではその詳細説明は省略する。
【００１８】
複合給湯器２７の浴室暖房運転は、運転スイッチ３５がオンされている状態で、前記浴室暖房スイッチ３８をオンすることにより開始され、暖房回路１２から浴室暖房機２５に熱媒体（例えば温水）が供給されて行われるものである。暖房回路１２は、暖房用熱交換器１４，１５（メインの熱交換器１４、潜熱回収用熱交換器１５）と、液体循環ポンプ９と、シスターン２８と、器具ケース５４内の管路１７〜２４，５２，５３，５６を有しており、管路１７には暖房高温サーミスタ１６が設けられ、管路２４には暖房低温サーミスタ５５が設けられている。また、管路１８には弁（熱動弁２９）が設けられ、管路２３には低温能力切替熱動弁３０が設けられている。
【００１９】
図７（ａ）に示したリモコン装置１の浴室暖房スイッチ３８がオンされると、複合給湯器２７の前記制御装置（図示せず）内に設けられている燃焼制御手段に浴室暖房のオン信号が加えられ、燃焼制御手段は、燃焼ファン７を回転させながら、燃焼室８内に設けられた暖房用バーナ１３を燃焼させる。また、暖房装置２５の熱動弁５１への通電が行われて予め定められた設定時間（例えば１分）経過後に熱動弁５１が開く（例えばPTC ( positive temperature coefficient )サーミスタを発熱させてサーモアクチュエータを動作させる）。また、浴室暖房スイッチ３８がオフされると、熱動弁５１への通電が停止して所定時間（例えば２０秒）経過後に熱動弁５１が閉じる。
【００２０】
なお、図７（ａ）に示されているリモコン装置１は、例えば浴室に設置される風呂リモコン装置であるが、図８に示されるような複合給湯器２７において、管路１８に接続される放熱マット（例えば温水マット）等の床暖房装置５９の運転は、例えばリビング等に適宜設けられるリモコン装置の操作によって行われるものである。
【００２１】
床暖房装置５９の運転操作を行うリモコン装置には暖房運転スイッチが設けられて、この暖房運転スイッチは、対応する床暖房装置（床暖房装置は複数設けられる場合があり、その場合は、複数のうち１つ以上の床暖房装置）の運転のオンオフ動作指令を行うスイッチとして機能する。
【００２２】
なお、図８では床暖房装置５９が１つ示されており,熱動弁２９も１つ示されているが、床暖房装置５９等の低温暖房装置が複数設けられる場合には、暖房運転スイッチも複数設けてもよいし、１つのスイッチを切り替えスイッチにより切り替えて操作できるようにしてもよい。暖房運転スイッチのオンオフ信号は、前記燃焼制御手段に加えられ、暖房運転スイッチがオンされると、燃焼制御手段により対応する（複数の場合には１つ以上の）熱動弁２９が開かれ、暖房運転スイッチがオフされると燃焼制御手段により対応する熱動弁２９が閉じられる。
【００２３】
燃焼制御手段は、リモコン装置１の浴室暖房スイッチ３８や例えば前記のようにリビング等に設けられているリモコン装置の暖房運転スイッチのオン信号を受けて、暖房用バーナ１３の燃焼制御（燃焼量制御を含む）および燃焼ファン７の回転制御を行うと共に、液体循環ポンプ９を駆動させる。燃焼制御手段は、浴室暖房機２５の運転を行うときには８０℃の液体を供給できるように、例えば暖房高温サーミスタ３３の検出温度が８０℃となるように（ＦＢ（フィードバック）制御）、暖房用バーナ１３の燃焼制御および燃焼ファン７の回転制御等を行って、暖房用熱交換器１４，１５を加熱し、暖房回路１２の管路内を循環する液体（例えば水）を加熱する。
【００２４】
加熱された液体（例えば温水）は、暖房用熱交換器１４から約８０℃で導出され、図８の矢印Ａに示すように管路１７を通り、図８の矢印Ｂに示すように管路５２を通った後に、管路３１ａを通って浴室暖房機２５に供給される。浴室暖房機２５に供給された液体は、浴室暖房機２５内の管路を通るときに放熱して、その温度が例えば６０℃程度に下がった状態で、図の矢印Ｂに示されるように管路３１ｂを通り、図８の矢印Ｃに示すように、管路１９を通って暖房用熱交換器１５に導入され、暖房用熱交換器１５（潜熱回収用熱交換器）によって加温される。
【００２５】
この加温された液体は、管路２０を通り、矢印Ｄに示されるようにシスターン２８に導入され、シスターン２８を通った後に、矢印Ｅに示すように管路２１を通り、液体循環ポンプ９に導入される。その後、液体は、矢印Ｆに示すように、管路２４を通って暖房用熱交換器１４（顕熱回収用熱交換器）に導入され、暖房用熱交換器１４によって加熱されて、前記と同様にして暖房回路１２を循環する。
【００２６】
なお、管路５３に設けられた流量制御弁７２が開いている状態（つまり、追い焚き動作時）においては、管路１７を通った液体は、前記の如く、矢印Ｂに示したように浴室暖房機２５側に導入されてから浴室暖房機２５を通った後に管路１９に導入される流れと、矢印Ｂ’に示すように、管路５３、追い焚き熱交換器６３と管路５６とを順に通って、管路１９に導入される流れとに分かれる（追い焚き運転も高温暖房装置の運転の一つであると見なすことができ、追い焚き動作時も暖房回路１２内の液体の加熱は浴室暖房機２５等の高温暖房装置の運転と同様に行われ、その流通経路が異なる）。
【００２７】
また、燃焼制御手段は、浴室暖房機２５の運転時に床暖房装置５９の運転を行うときには、床暖房装置５９の運転開始から例えば３０分といったホットダッシュ運転中は、例えば８０℃といった高温の液体を供給し、その後の通常運転時は６０℃の液体を供給できるようにする。
【００２８】
なお、６０℃の液体の供給時も、暖房用バーナ１３の燃焼制御および燃焼ファン７の回転制御等は、浴室暖房機２５の運転時と同様であり、暖房用熱交換器１４からは適宜の温度（例えば約８０℃）の液体が導出される（暖房高温サーミスタ１６により検出される液体の温度が例えば８０℃となるように暖房用バーナ１３の燃焼制御等を行う）が、燃焼制御手段は、流量制御弁７２を開状態として、液体を、図８の矢印Ａ、Ｂ’、Ｃ、Ｄ、Ｅに示す順に通すことにより、管路１７、管路５３、追い焚き熱交換器６３、管路５６，１９、暖房用熱交換器１５、管路２０、シスターン２８、管路２１を順に通して、液体循環ポンプ９に導入するようにする。
【００２９】
そして、浴室暖房機２５の動作時には、液体循環ポンプ９から吐出された液体の温度が（例えば前記の如く浴室暖房機２５を通って放熱されて）例えば６０℃程度の温度に下がっている状態で、熱動弁２９の開状態において、図８の矢印Ｇに示すように、管路１８，５７を通って床暖房装置５９に導入されることで、暖房用熱交換器１５から直接的に液体が導入されるよりも液体の温度が低くなる。床暖房装置５９を通って放熱し、例えば４０℃以下の低温となった液体は、管路５８を通って管路１９に導入され、前記と同様に暖房回路１２を循環する。
【００３０】
なお、高温暖房装置である浴室暖房機２５が動いていないときには、低温暖房装置である床暖房装置５９に導入される液体の温度調節は、暖房低温サーミスタ５５の検出温度に基づき、燃焼制御手段の制御によって行われるものである。つまり、床暖房装置５９の通常運転時には、暖房低温サーミスタ５５の検出温度が例えば６０℃になるように、低温能力切替熱動弁３０を開弁して暖房用バーナ１３の燃焼量を調節し、管路１８側に送られる。
【００３１】
また、床暖房装置５９の運転開始直後には、床暖房装置５９の内部通路や管路５７，５８内の液体が冷えている状態であり、このように液体を冷たい状態から加熱する場合のホットダッシュ運転（コールドスタート）では、例えば３０分といった予め定められたホットダッシュ設定時間だけ、暖房高温サーミスタ１６の検出温度が例えば８０℃になるように低温能力切替熱動弁３０を開弁して暖房用バーナ１３の燃焼量を調節し、管路１８側に送られる。
【００３２】
なお、床暖房装置５９と浴室暖房機２５とが共に運転するときには、暖房用熱交換器１４から約８０℃で液体が導出され、その液体が管路１７を通った後、矢印Ｂに示す方向と矢印Ｂ’に示す方向とに分かれて、それぞれ矢印Ｂ、Ｂ’に示すように通った後、管路１９に導入される。また、床暖房装置５９のみが運転するときには、管路１７を通った後、矢印Ｂ’に示す方向に流れて管路１９に導入される。
【００３３】
また、浴槽湯水の温度は、例えば４０℃前後の適宜の値に設定され、設定された温度の情報は、燃焼制御手段に加えられる。リモコン装置１の自動スイッチ３６は、浴槽７０への自動湯張り動作（湯張り終了後の保温、保水動作も含む）のオンオフスイッチであり、自動スイッチ３６のオン信号は、前記燃焼制御手段に加えられ、自動湯張り後、例えば４時間の間、適宜、保温動作と保水動作を行った後に自動的にオフする。また、追い焚きスイッチ３７は、浴槽湯水の追い焚き単独動作のオンスイッチであり、追い焚きスイッチ３７のオン信号は、燃焼制御手段に加えられる。なお、燃焼制御手段により追い焚き動作が終了すると、追い焚きスイッチ３７は自動的にオフとなる。
【００３４】
燃焼制御手段は、自動スイッチ３６のオン信号が加えられると、給湯バーナ３の燃焼によって給湯熱交換器４，５を通る水を加熱し、給湯通路１１と注湯通路６１と追い焚き循環通路６７とを有する湯張り用通路を通して湯を浴槽７０に注ぐ。この際、例えば予め与えられている浴槽の水位（Ｐ）と水量（Ｑ）との関係データ（Ｐ−Ｑデータ）と、水位センサ２２により検出される検出水位とに基づき、浴槽の設定水位まで注湯する。
【００３５】
また、浴槽湯水循環ポンプ６４を駆動して得られる風呂温度センサ６５により検出される浴槽湯水温が風呂設定温度よりも低いときには、風呂設定温度となるように、流量制御弁７２を開き、浴槽湯水循環ポンプ６４をオン（駆動）して浴槽湯水の追い焚き動作を行う。なお、燃焼制御手段は、追い焚きスイッチ３７のオン信号が加えられたときも、風呂温度センサ６５により検出される浴槽湯水温が風呂設定温度となるように、浴槽湯水の追い焚き動作を行う。
【先行技術文献】
【特許文献】
【００３６】
【特許文献１】特許第５３２４２９２号公報
【発明の概要】
【発明が解決しようとする課題】
【００３７】
ところで、前記のような複合給湯器２７の運転において、前記浴室暖房運転における暖房設定時間が経過するまで（浴室暖房終了時刻まで）の残り時間を、例えば図７（ｂ）に示されるように、表示画面３２にタイマー表示するリモコン装置１が用いられており、図７（ｂ）では、１４９分を示す「１４９」の数値が表示されている。しかしながら、タイマー表示は例えば分単位でカウントダウンする態様と成しており、「１４９」から「１４８」に表示が切り替わるタイミングは１分後なので、利用者は、たまたま数値が切り替わるタイミングの時にリモコン装置１を見ないと浴室暖房運転が実際に行われているかどうかを知ることができない。
【００３８】
また、例えば特許文献１には、２つの情報を交互に表示するように、表示切り替えを行う表示装置が提案されており、この提案においては、２画面の交互表示によって表示が点滅しているように感じさせて注意を引き、緊急地震速報に着目してもらうようにしているが、このような表示形態を応用し、例えば前記のように、暖房運転の残り時間を示すタイマー表示と暖房運転中を示す動作モードの動作中表示とを切り替えて、交互に表示する表示方法を用いると、以下の問題が生じる。
【００３９】
つまり、この方法においては、タイマー表示をしているときには暖房の動作モード動作中表示が行われず、暖房の動作モード動作中表示が行われているときにはタイマー表示が行われないことになるため、利用者は、リモコン装置の表示部をパッと見た瞬間には何れか一方の表示しか見ることができない。したがって、利用者が見た瞬間に表示されている側の情報については利用者が把握できるが、表示されていない方の情報を把握することができず、両方を一度に認識することができないといった問題が生じる。
【００４０】
なお、リモコン装置の表示画面は限られており、一度にたくさんの情報を全て表示画面に表示することは難しく、表示画面の拡大はリモコン装置の大型化を招くために好ましくない。
【００４１】
本発明は、上記従来の課題を解決するためになされたものであり、その目的は、動作装置の制御情報等の表示情報と動作モード動作中であることとが同時に利用者によって把握できるようなリモコン装置等の表示装置とその表示装置を用いた表示システムを提供することにある。
【課題を解決するための手段】
【００４２】
本発明は上記目的を達成するために、次の構成をもって課題を解決する手段としている。すなわち、第１の発明の表示装置は、動作を行う動作装置に信号接続されて該動作装置の関連情報を表示する表示部を備えた表示装置であって、前記表示部には複数の表示用セグメントが予め定められた配設位置に配設された表示ブロックが１つ以上設けられ、該表示ブロックの少なくとも１つは前記複数の表示用セグメントのうち予め定められる１つ以上の表示用セグメントを点灯させることによって数値を表示する機能を有する数値表示可ブロックと成しており、該数値表示可ブロックに表示情報を数値により表示する情報表示手段と、予め定められた設定動作モードの動作中であるかどうかを判断する動作モード動作状態判断手段と、該動作モード動作状態判断手段によって前記設定動作モードの動作が動作中であると判断されているときに少なくとも１つの前記数値表示可ブロックを形成する複数の表示用セグメントのうち１つ以上の表示用セグメントを点灯させることにより前記情報表示手段により表示される前記表示情報を数値により表示し、かつ、該表示情報の全ての桁の数値を利用者が把握できる形態を維持しながら前記表示情報の数値を形成する前記表示用セグメントのうちの少なくとも１つの表示用セグメントを点滅させるようにして該点滅させる表示用セグメントを時系列的に移動させる動作を含む予め定められたセグメント点滅変化態様で点滅させる動作モード動作中表示を行う動作モード情報表示手段とを有する構成をもって課題を解決するための手段としている。
【００４３】
また、第２の発明の表示装置は、動作を行う動作装置に信号接続されて該動作装置の関連情報を表示する表示部を備えた表示装置であって、前記表示部には複数の表示用セグメントが予め定められた配設位置に配設された表示ブロックが１つ以上設けられ、該表示ブロックの少なくとも１つは前記複数の表示用セグメントのうち予め定められる１つ以上の表示用セグメントを点灯させることによって数値を表示する機能を有する数値表示可ブロックと成しており、該数値表示可ブロックに時計情報と前記動作装置の制御情報と該動作装置の故障情報の少なくとも１つを含む表示情報を数値により表示する情報表示手段と、予め定められた設定動作モードの動作中であるかどうかを判断する動作モード動作状態判断手段と、該動作モード動作状態判断手段によって前記設定動作モードの動作が動作中であると判断されているときに少なくとも１つの前記数値表示可ブロックを形成する複数の表示用セグメントのうち１つ以上の表示用セグメントを前記情報表示手段により表示される前記表示情報の数値を利用者が把握できる形態を維持しながら変化する予め定められたセグメント点滅変化態様で点滅させる動作モード動作中表示を行う動作モード情報表示手段とを有し、前記動作モード動作中表示が行われるセグメント点滅変化態様は、表示情報が表示されている前記数値表示可表示ブロックの少なくとも１つの数値表示可ブロックにおいて外周部に配設されている複数の表示用セグメントのうちの１つ又は複数の隣り合う表示用セグメント又は互いに間隔を介して配設された複数の表示用セグメントを、前記数値表示可ブロックの外周方向に順に点灯していく動作と順に消灯していく動作と前記数値表示の点灯部位は消灯して消灯部位は点灯する動作を順に行う動作のいずれかの表示用セグメント時系列変化動作を行うことによって、前記情報表示手段により表示される前記表示情報の数値を利用者が把握できる形態を維持しながら前記数値表示可ブロックにおける前記数値表示の外周部の表示用セグメントが前記数値表示の外周側に沿って周回しているように見せかける疑似周回表示態様とする構成をもって課題を解決するための手段としている。
【００４４】
さらに、第３の発明の表示装置は、前記第２の発明の構成に加え、前記数値表示可ブロックは複数設けられ、動作モード情報表示手段による表示用セグメント時系列変化動作は、前記複数の数値表示可ブロックを１つのブロック集合体と見なしたときに該ブロック集合体において外周部に配設されている複数の表示用セグメントのうちの１つ又は複数の隣り合う表示用セグメント又は互いに間隔を介して配設された複数の表示用セグメントを、前記ブロック集合体の外周方向に順に点灯していく動作と順に消灯していく動作と表示情報の数値を形成する表示用セグメントの点灯部位は消灯して消灯部位は点灯する動作を順に行う動作のいずれかの動作としたことを特徴とする。
【００４５】
さらに、第４の発明の表示装置は、前記第２または第３の発明の構成に加え、前記動作モード情報表示手段は、動作装置によって行われる設定動作が予め定められる設定時間で終了する時限付き動作の時に、前記設定時間の経過終了時に近づいて該設定時間経過終了まで予め定められる設定間近時間となった以降に表示用セグメントの変化タイミングをそれまでよりも速めることにより、該表示用セグメントの変化タイミングを速める前よりも速めてからの方が数値表示の外周部の表示用セグメントが前記数値表示の外周側に沿って速く周回しているように見せかける疑似周回表示可変手段を有していることを特徴とする。
【００４６】
さらに、第５の発明の表示装置は、前記第１乃至第４のいずれか一つの発明の構成に加え、前記動作モード動作中表示が行われる表示用セグメントは、動作装置の制御情報のうち該動作装置により行われる設定動作モードの動作に関連する情報が表示されている数値表示可ブロックの表示用セグメントを含むことを特徴とする。
【００４７】
さらに、第６の発明の表示装置は、前記第１乃至第５のいずれか一つの発明の構成に加え、動作モード動作中表示が行われる表示用セグメントは、動作装置の前記動作モード動作の制御に関連しない制御情報の表示情報が表示されている数値表示可ブロックの表示用セグメントを含むことを特徴とする。
【００４８】
さらに、第７の発明の表示装置は、前記第１乃至第６のいずれか一つの発明の構成に加え、設定動作モードの動作により予め定められる設定効果が発揮されるまでの待機状態を判断する動作モード効果待機状態判断手段を有し、動作モード情報表示手段は、動作モード動作中表示を行う代わりに、前記動作モード効果待機状態判断手段により前記待機状態中であると判断されているときに少なくとも１つの数値表示可ブロックを形成する複数の表示用セグメントのうち１つ以上の表示用セグメントを情報表示手段により表示される表示情報の数値を利用者が把握できる形態を維持しながら変化する予め定められたセグメント点滅変化態様で点滅させる動作モード待機中表示を行うことを特徴とする。
【００４９】
さらに、第８の発明の表示装置は、前記第７の発明の構成に加え、前記待機状態の期間が終了する時に近づいて該待機時間終了まで予め定められる設定間近時間となった以降に、表示用セグメントの変化タイミングをそれまでよりも速める表示可変手段を有していることを特徴とする。
【００５０】
さらに、第９の発明の表示装置は、動作を行う動作装置に信号接続されて該動作装置の関連情報を表示する表示部を備えた表示装置であって、前記表示部には複数の表示用セグメントが予め定められた配設位置に配設された表示ブロックが１つ以上設けられ、該表示ブロックの少なくとも１つは前記複数の表示用セグメントのうち予め定められる１つ以上の表示用セグメントを点灯させることによって数値を表示する機能を有する数値表示可ブロックと成しており、該数値表示可ブロックに表示情報を数値により表示する情報表示手段と、予め定められた設定動作モードの動作中であるかどうかを判断する動作モード動作状態判断手段とを有し、前記数値表示可ブロックの少なくとも１つは前記情報表示手段によって前記表示情報が数値により表示される情報表示部位と前記動作装置の設定動作モードの動作中であることを表示するための動作モードの表示部位とを隣接して設けた構成と成し、前記動作モード動作状態判断手段によって前記設定動作モードの動作が動作中であると判断されているときに、前記情報表示部位の全ての桁の数値を利用者が把握できる形態を維持しながら前記動作モードの表示部位の外周側に配置される表示用セグメントを順次周回方向に点灯していき、当該外周側の全ての表示用セグメントが点灯されて０の数値が表示された時にはその点灯された全ての表示用セグメントを一旦消灯した後に再び前記動作モードの表示部位の外周側に配置される表示用セグメントを順次周回方向に点灯していく動作を繰り返すという如く動作モード動作中表示を行う動作モード情報表示手段を有することを特徴とする。さらに、第１０の発明の表示装置は、前記第１乃至第９のいずれか一つの発明の構成に加え、表示装置は、動作装置としての熱源装置に信号接続されるリモコン装置としたことを特徴とする。
【００５１】
さらに、第１１の発明の表示システムは、前記第１乃至第１０のいずれか一つの発明の表示装置と動作装置とが信号接続されて形成されている構成をもって課題を解決するための手段としている。
【発明の効果】
【００５２】
本発明において、表示装置は、動作を行う動作装置に信号接続されて該動作装置の関連情報を表示する表示部を備えており、該表示部には複数の表示用セグメントが予め定められた配設位置に配設された表示ブロックが１つ以上設けられ、該表示ブロックの少なくとも１つは、前記複数の表示用セグメントのうち予め定められる１つ以上の表示用セグメントを点灯させることによって数値を表示する機能を有する数値表示可ブロックと成している。そして、情報表示手段によって、例えば時計情報や前記動作装置の制御情報や該動作装置の故障情報等の表示情報を、数値により前記数値表示可ブロックに表示することができ、利用者に報知することができる。
【００５３】
なお、動作装置の制御情報とは、例えば動作装置が熱源装置の場合には、例えば給湯設定温度、浴室暖房運転の残り時間、自動湯張りの時の湯張り温度（風呂設定温度）や浴槽水位表示や注湯湯量、暖房温度（設定温度や現在の温度等）等、様々な情報があり、例えば省エネモードの動作モードを有して、省エネ情報が表示されるようなリモコン装置等の表示装置においては、その省エネ情報も含むものである。また、動作装置の故障情報を数値により表示する場合には、例えば動作装置の故障の内容を予め定められたエラーコードの数値で示すものであり、利用者等がその数値（エラーコードの数値）を確認することにより故障の内容が分かるようにする数値である。また、動作装置が洗濯機の場合には、その残り時間であったり、動作装置がエアコンの場合には、そのタイマー設定の残り時間や冷房、暖房、除湿等の温度であったりと、様々な情報が含まれるものである。
【００５４】
また、本発明の表示装置は、動作モード動作状態判断手段が設けられていることによって、予め定められた設定動作モードの動作中であるかどうかを的確に判断できる。そして、例えば、動作モード動作状態判断手段により前記設定動作モードの動作が動作中であると判断されているときに、少なくとも１つの前記数値表示可ブロックを形成する複数の表示用セグメントのうち１つ以上の表示用セグメントを点灯させることにより前記情報表示手段により表示される前記表示情報を数値により表示し、かつ、該表示情報の全ての桁の数値を利用者が把握できる形態を維持しながら前記表示情報の数値を形成する前記表示用セグメントのうちの少なくとも１つの表示用セグメントを点滅させるようにして該点滅させる表示用セグメントを時系列的に移動させる動作を含む予め定められたセグメント点滅変化態様で点滅させる動作モード動作中表示を行うことができる。
【００５５】
このように、本発明の表示装置は、少なくとも１つの数値表示可ブロックに例えば時計情報や動作装置の制御情報や該動作装置の故障情報等の表示情報を数値により表示しつつ、設定動作モードの動作中には、前記表示情報を示す数値を利用者が把握できる態様で前記のような動作モード動作中表示が行えるので、表示装置の表示部のスペースが広くなくとも、例えば１つの数値表示可ブロックに、表示情報の数値による表示と動作モード動作中表示とを同時に表示できる。
【００５６】
すなわち、本発明は、例えば従来のように２種類の情報を１つのスペースに表示するが、同時ではなく交互に表示する（一方を表示しているときには他方の表示を行わず、他方を表示しているときには一方の表示を行わないようにする）場合と異なり、利用者が表示を見るタイミングによって一方の情報しか把握できないといったことを防ぐことができ、表示情報の数値による表示と動作モード動作中表示とを同時に表示して、その内容を利用者に知らせることができる。
【００５７】
したがって、本発明の表示装置は、装置の大型化を招くこともなく、かつ、非常に使い勝手がよい状態で、例えば時計情報や動作装置の制御情報や該動作装置の故障情報等の表示情報と、設定動作モードの動作の動作中における動作モード動作中であるという情報を利用者が瞬時に把握できるようにする優れた表示装置とすることができる。そして、この表示装置と動作装置とを信号接続して形成される表示システムは、このような優れた表示装置を動作装置に信号接続することによって、前記表示情報と前記設定動作モードの動作の動作中における動作モード動作中であるという情報を利用者が瞬時に把握できるようにする、使い勝手のよい優れた表示システムを実現できる。
【００５８】
また、前記動作モード動作中表示のセグメント点滅変化態様を以下のような態様にすると、設定動作モードの動作中に行える動作モード動作中表示を非常に適切に行え、表示情報を示す数値の利用者による把握と動作モード動作中表示の利用者による把握を非常に行いやすくできるので、非常に好ましい。
【００５９】
この好ましい態様においては、動作モード動作状態判断手段によって設定動作モードの動作が動作中であると判断されているときに、表示情報が表示されている前記数値表示可表示ブロックの少なくとも１つの数値表示可ブロックにおいて外周部に配設されている複数の表示用セグメントのうちの１つ又は複数の隣り合う表示用セグメント又は互いに間隔を介して配設された複数の表示用セグメントを、前記数値表示可ブロックの外周方向に順に点灯していく動作と順に消灯していく動作と前記数値表示の点灯部位は消灯して消灯部位は点灯する動作を順に行う動作のいずれかの表示用セグメント時系列変化動作を行う。
【００６０】
そして、この表示用セグメント時系列変化動作を行うことによって、前記情報表示手段により表示される前記表示情報の数値を利用者が把握できる形態を維持しながら前記数値表示可ブロックにおける前記数値表示の外周部の表示用セグメントが前記数値表示の外周側に沿って周回しているように見せかける疑似周回表示態様の動作モード動作中表示が行えるので、前記表示情報を利用者に見やすくすることができて確実に把握できるようにでき、かつ、設定動作モードの動作中であることも非常に分わかりやすくできる。
【００６１】
また、このような疑似周回表示態様の動作モード動作中表示を行う構成において、数値表示可ブロックを複数設け、動作モード情報表示手段による表示用セグメント時系列変化動作を、前記複数の数値表示可ブロックを１つのブロック集合体と見なしたときに該ブロック集合体において外周部に配設されている複数の表示用セグメントについて行うようにすると、複数の数値表示可ブロックにより形成されるブロック集合体において（つまり、表示部における広範囲の領域において）、その数値表示の外周側に沿って表示用セグメントが周回しているような疑似周回表示が行われるので、動作モード動作中表示をとても分かりやすくできる。
【００６２】
さらに、疑似周回表示態様の動作モード動作中表示を行う構成において、動作モード情報表示手段は、動作装置によって行われる設定動作が予め定められる設定時間で終了する時限付き動作の時に、前記設定時間の経過終了時に近づいて該設定時間経過終了まで予め定められる設定間近時間となった以降に表示用セグメントの変化タイミングをそれまでよりも速めることにより、該表示用セグメントの変化タイミングを速くする前よりも数値表示の外周部の表示用セグメントが前記数値表示の外周側に沿って速く周回しているように見せかける疑似周回表示可変手段を有する構成とすると、利用者に設定動作の動作終了に近づいたことを非常に分かりやすく報知できるので、表示装置や表示システムの使い勝手をより一層良好にできる。
【００６３】
さらに、動作モード動作中表示が行われる表示用セグメントは、動作装置の制御情報のうち該動作装置により行われる設定動作モードの動作に関連する情報が表示されている数値表示可ブロックの表示用セグメントを含むようにしたり、動作装置の前記動作モード動作の制御に関連しない情報が表示されている数値表示可ブロックの表示用セグメントを含むものとしたりして、適宜形成することにより、様々なバリエーションの表示を行うことができ、表示装置や表示システムの構築の自由度を向上できる。
【００６４】
さらに、設定動作モードの動作により予め定められる設定効果が発揮されるまでの待機状態を判断する動作モード効果待機状態判断手段を設け、動作モード情報表示手段は、動作モード動作中表示を行う代わりに、前記動作モード効果待機状態判断手段により前記待機状態中であると判断されているときに少なくとも１つの前記数値表示可ブロックを形成する複数の表示用セグメントのうち１つ以上の表示用セグメントを前記情報表示手段により表示される前記表示情報の数値を利用者が把握できる形態を維持しながら変化する予め定められたセグメント点滅変化態様で点滅させる動作モード待機中表示を行うようにすると、動作装置が設定動作を行うことによる効果が発揮されるまでの間であることを利用者に報知でき、使い勝手を良好にできる。
【００６５】
つまり、例えば、動作装置が給湯機能を備えた熱源装置である場合に、利用者が蛇口を開いて給湯栓を開くと、例えば動作装置が予め定められたシーケンスプログラムにしたがって給湯動作を開始することになるが、給湯栓が開かれた直後は設定温度の湯の出湯は行われずに、しばらくの間水が出た後に設定温度の湯の出湯が行われる。このような場合に、従来であれば、利用者が設定温度の湯が出湯されているかどうか分からないので、実際に出湯されている湯に手で触れることにより湯の温度を確かめる動作を時々行うか、湯にずっと手で触れていて湯の温度を確かめるかの動作を行うことが一般的であり、湯が温まるまでの間に、何度か又はしばらくの間、冷たい水に手を触れてしまうといった状態になり、例えば冬等は不快な思いをしなければならない。
【００６６】
それに対し、前記のように、動作装置が設定動作を行うことによる効果が発揮されるまでの待機時間（例えば、前記のケースでは、設定温度の湯が出湯されるまでの間）に動作モード情報表示手段が動作モード待機中表示を行うようにすると、利用者は設定温度の湯が出湯されるまでの待機時間であることを把握でき、この動作モード待機作中表示がしばらくの間行われた後、その表示が停止した直後に出湯している湯に手を伸ばすことにより設定温度の湯に触れてそのまま使用することができ、不快な思いをせずに快適に動作装置を利用できる。また、設定温度の湯が出湯されるまでの待機時間中に給湯口から出でくる冷たい水または設定温度に満たない温い水を、例えば適宜の容器に溜めておいて利用するといった場合にも利用をしやすくできる。
【００６７】
また、動作装置が設定動作を行うことによる効果が発揮されるまでの待機時間に動作モード情報表示手段が動作モード待機中表示を行う構成において、待機状態の期間が終了する時に近づいて該待機時間終了まで予め定められる設定間近時間となった以降に、表示用セグメントの変化タイミングをそれまでよりも速める表示可変手段を設けると、以下のような効果を奏することができる。
【００６８】
例えば前記のように動作装置が給湯機能を備えた熱源装置であり、利用者が蛇口を開いて給湯栓を開いて給湯を行う場合において、動作装置の動作によって設定温度の湯の出湯間近になると、表示用セグメントの変化タイミングがそれまでよりも速まるので、その表示を利用者が確認することにより、湯が快適に利用できるタイミングを計って準備することができる。
【００６９】
また、例えば動作装置を浴室暖房機に接続された熱源装置とした場合に、例えば利用者が窓を閉めた状態で浴室暖房機を作動させる場合に比べ、窓を開けた状態で浴室暖房機を作動させると浴室内を暖めるのに時間がかかる。そこで、浴室が浴室暖房設定温度まで温まるまでの待機時間中に動作モード待機中表示を行うようにし、かつ、待機状態の期間が終了する時に近づいて該待機時間終了まで予め定められる設定間近時間となった以降に、表示用セグメントの変化タイミングをそれまでよりも速めるようにすると、例えば窓を閉じた状態で浴室暖房機を作動させた後に、一定の時間が経つと、通常であれば浴室暖房が進んで表示用セグメントの変化タイミングが速くなる（例えば疑似周回表示態様の周回速度が速くなっているように見える）はずである。
【００７０】
それに対し、利用者がうっかり窓を開けた状態で浴室暖房機を作動させてしまった場合には、ある程度の時間が経っても表示用セグメントの変化タイミングがゆっくりのままであるので、その表示によって利用者に窓が開いたままの状態である旨を把握させることができる。
【００７１】
さらに、表示装置は、動作装置としての熱源装置に信号接続されるリモコン装置とすると、前記の例で示したような動作をはじめとし、様々な場所において様々な用途で用いられている熱源装置において、例えば時計情報や前記動作装置の制御情報や該動作装置の故障情報等の表示情報と、設定動作モードの動作の動作中における動作モード動作中であるという情報とを、利用者が瞬時に把握できる、簡単な構成で使い勝手の良好な優れた表示装置や表示システムを実現できる。
【図面の簡単な説明】
【００７２】
【図１】本発明に係る表示装置の一実施例の表示状態例を説明するための模式的な説明図である。
【図２】実施例の表示装置における数値表示可ブロックを説明するための模式的な説明図である。
【図３】実施例の制御構成例を示すブロック図である。
【図４】その他の実施例の表示装置の表示状態例を説明するための模式的な説明図である。
【図５】さらに他の実施例の表示装置の表示状態例を説明するための模式的な説明図である。
【図６】複数の数値表示可ブロックをブロック集合体として表示する構成例を説明するための模式的な説明図である。
【図７】従来のリモコン装置の表示例を説明するための模式的な説明図である。
【図８】熱源装置の一例を示す模式的なシステム図である。
【発明を実施するための形態】
【００７３】
以下、本発明の実施の形態を図面に基づき説明する。なお、本実施例の説明において、これまでの説明の例と同一構成要素には同一符号を付し、その重複説明は省略または簡略化する。
【実施例】
【００７４】
図１には、本発明に係る表示装置の一実施例の表示画面状態例が示されている。本実施例は、従来例と同様に、熱源装置としての給湯器に信号接続されて浴室に配置されるリモコン装置１であり、その外観構成等は、図７に示した従来例とほぼ同様であるが、本実施例では、表示画面（表示部）３２における表示方法を特徴的な構成としており、以下、その詳細について説明する。
【００７５】
図１（ａ）に示されるように、本実施例において、リモコン装置１の表示画面３２には数値が表示されており、これらの数値は、図２（ａ）の模式図に示されるような１つ以上（本実施例では複数であり、３つ）の表示ブロックＢ１，Ｂ２，Ｂ３にそれぞれ表示されている。なお、図１（ａ）に表示されている数値と図２（ａ）に表示されている数値とは互いに異なる数値であるが、これらのように、各表示ブロックＢ１，Ｂ２，Ｂ３には、それぞれ適宜の数値が表示可能と成している。また、図２（ａ）は、説明を分かりやすくするために、各表示ブロックＢ１，Ｂ２，Ｂ３に表示されている数値と、その背景とを同色（白）で表示し、各数値の輪郭のみ線で表示している。
【００７６】
各表示ブロックＢ１，Ｂ３は、例えば図２（ｂ）に示されている表示ブロックＢ１のように、複数の表示用セグメントＳが予め定められた配設位置に配設されて形成されており、例えば図２（ｂ）における斜線部分の表示用セグメントＳを点灯し、他の部分の表示用セグメントＳを消灯することによって、例えば数値「４３」が表示されるといったように、表示用セグメントＳの点灯と消灯に応じて適宜の数値が表示されるものである。表示用セグメントＳの配置角度等、配置態様の詳細は適宜設定されるものである。
【００７７】
また、表示ブロックＢ２は、図２（ｃ）に示されるように、複数の表示用セグメントＳが予め定められた配設位置に配設されて形成されており、通常は、図２（ａ）に示されるように、時計表示が行われる。例えば、図２（ａ）の例では、９時４９分を示す数値「９：４９」が表示されている。また、表示ブロックＢ２は、浴室暖房運転中には、例えば図１（ａ）に示されるように、その運転の設定時間に応じた残り時間が表示されるように形成されており、図１（ａ）の例では、１４９分を示す数値「１４９」が表示されている。
【００７８】
これらのように、本実施例では、表示ブロックＢ１，Ｂ２，Ｂ３は、いずれも複数の表示用セグメントＳのうち予め定められる１つ以上の表示用セグメントＳを点灯させることによって数値を表示する機能を有する数値表示可ブロックと成している。
【００７９】
本実施例のリモコン装置１は、このような数値表示可ブロックを用い、図３に示される制御構成の制御によって、特徴的な表示を行える表示装置であり、以下、図１〜図３を参照しながら本実施例の特徴的な表示構成について説明する。
【００８０】
図３に示されるように、本実施例では、リモコン装置１の制御装置４１に、情報表示手段４２、動作モード判断手段（動作モード動作状態判断手段）４３、動作モード情報表示手段４４が設けられており、動作モード情報表示手段４４には疑似周回表示可変手段４５が設けられている。
【００８１】
情報表示手段４２は、数値表示可ブロック（数値表示可ブロックと成している表示ブロック）Ｂ１，Ｂ２，Ｂ３に、例えば時計情報や、複合給湯器２７の制御情報や、複合給湯器２７の故障情報等の表示情報を数値により表示する手段である。
【００８２】
情報表示手段４２は、例えば通常は数値表示可ブロックＢ１には、リモコン装置１の設定関連操作手段４６（前記の如く、リモコン装置１の扉６０を開いたところに設けられている操作手段）によって設定される給湯設定温度の情報（図１（ａ）では４１℃の数値「４１」、図２（ａ）、（ｂ）では４３℃の数値「４３」）を表示する。また、情報表示手段４２は、例えば数値表示可ブロックＢ３には設定関連操作手段４６によって設定される風呂設定温度の情報（図１（ａ）、図２（ａ）では４１℃の数値「４１」）を表示する。
【００８３】
情報表示手段４２は、数値表示可ブロックＢ２には、前記の如く、通常は時計情報（例えば９時４９分を示す数値「９：４９」）を表示し、浴室暖房運転時には、複合給湯器２７の制御情報としての、浴室暖房運転の残り時間（例えば１４９分を示す数値「１４９」）を表示する。なお、複合給湯器２７の制御情報としては、このような浴室暖房運転の残り時間の他に、自動湯張りの時の湯張り温度（風呂設定温度）、浴槽水位表示や注湯湯量、暖房設定温度、暖房中温度、給湯設定温度等、様々な情報があり、特に限定されることはなく、例えば予め定められている適宜の制御情報（制御関連情報）を数値により表示することができる。
【００８４】
また、情報表示手段４２は、複合給湯器２７の故障情報を例えば予め定められているエラーコードの数値により表示することもできる。どのような表示をどのタイミングで表示するのかは、予め定められており、その設定に従い適宜表示が行われる。
【００８５】
動作モード動作状態判断手段４３は、複合給湯器２７が予め定められた設定動作モードの動作中であるかどうかを判断するものであり、その設定モードは適宜設定されるが、本実施例では、設定動作モードの動作は、例えば浴室暖房動作としている。動作モード動作状態判断手段４３は、例えば動作操作手段４７（各種スイッチ３５〜３９）のオンオフ情報と、複合給湯器２７の制御装置５０の制御情報を把握して、複合給湯器２７が設定動作モードの動作中であるかどうかを判断し、動作中であるときには操作モード情報表示手段４４に設定動作モード動作中確認信号を連続的に、あるいは、予め定められる設定間隔毎に逐次、加える。
【００８６】
なお、設定動作モードの動作を設定する方法は特に限定されるものではないが、例えば複合給湯器２７の出荷前に予め設定しておくこともできるし、複数の設定動作モードの動作の情報を予めリモコン装置１に設定しておいて、その中から利用者が表示したい設定動作モードの動作を選択できるようにしてもよい。この場合、例えばリモコン装置１の扉６０を開いて操作する設定関連操作手段４７の操作によって設定動作モードの動作選択が行えるようにしてもよい。
【００８７】
動作モード情報表示手段４４は、動作モード動作状態判断手段４３によって前記設定動作モードの動作が動作中であると判断されているときに（前記設定動作モード動作中確認信号が連続的又は断続的に加えられている間）、少なくとも１つの数値表示可ブロックを形成する複数の表示用セグメントのうち１つ以上の表示用セグメントＳを点灯させることにより情報表示手段４２により表示される前記表示情報を数値により表示し、かつ、該表示情報の全ての桁の数値を利用者が把握できる形態を維持しながら前記表示情報の数値を形成する前記表示用セグメントのうちの少なくとも１つの表示用セグメントを点滅させるようにして該点滅させる表示用セグメントを時系列的に移動させる動作を含む予め定められたセグメント点滅変化態様で点滅させる動作モード動作中表示を行うものである。なお、表示用セグメントＳを、時間に応じて点灯させたり消灯させたりすることにより点滅状態にできるものであり、動作モード情報表示手段４４が表示用セグメントＳの点灯や消灯を制御することにより、セグメント点滅変化態様での点滅が行われるものである。
【００８８】
本実施例では、複合給湯器２７の制御情報のうち複合給湯器２７により行われる設定動作モードの制御情報が表示されている数値表示可ブロックＢ２の表示用セグメントＳを用いて動作モード動作中表示を行うようにしており、また、動作モード動作中表示のセグメント点滅変化態様は、その数値表示可ブロックＢ２の表示用セグメントＳを、以下に述べるように変化させる疑似周回表示態様としている。なお、動作モード動作状態判断手段４３によって前記設定動作モードの動作が動作中ではないと判断された場合には、以下に述べるような表示セグメントＳの点滅動作は行わない。
【００８９】
本実施例において、数値表示可ブロックＢ２は、図２（ｃ）に示されるように、２５個の表示用セグメントＳを有しており、大きさが他の表示用セグメントと大きく異なる２つの表示用セグメントＳ（Ｓａ）と他の２３個の表示用セグメントＳを有している。そのうち、数値表示可ブロックＢ２の外周部には、同図の斜線が記されている１０個の表示用セグメントＳが配設されており、動作モード動作中表示は、これらの外周部に配設された１０個の表示用セグメントＳを変化させて行われる。
【００９０】
つまり、本実施例では、数値表示可ブロックＢ２を形成する表示用セグメントＳのうち、浴室暖房運転の残り時間を示す数値の、例えば「１４９」を利用者が把握できる態様を維持しながら、図２（ｃ）の斜線部に示すような、数値表示可ブロックＢ２の外周部（外周側）に配設されている複数の表示用セグメントＳのうちの隣り合う３つの表示用セグメントＳを、例えば図１（ｂ）に示されるように、数値表示可ブロックＢ２の外周方向に順に、数値表示の点灯部位は消灯して消灯部位は点灯する動作を行う表示用セグメント時系列変化動作を行う。
【００９１】
なお、この例では、図２（ｃ）の斜線部に示されるように、数値表示可ブロックＢ２を形成する表示用セグメントＳのうち、左側端部においては、左端ではなく、その隣（左側から２番目）の表示用セグメントＳを変化させるようにしている。このように、本願の発明において、外周部（外周側）の表示用セグメントＳとは、「外周端」とは限らず、表示用セグメントＳの配列態様によっては外周端より少し内側に表示用セグメントＳも含むものである。
【００９２】
本実施例において、例えば、図１（ｂ）のａに示されるように、動作モード動作中表示の開始から０．５秒の間は「１４９」の数値のみの表示とするが、その後、図１（ｂ）の矢印方向に沿った変化態様に示されるように、順次、図に斜線が記された表示用セグメントＳの点灯を行い、図にドットが記された表示用セグメントＳの消灯を行っていく。
【００９３】
例えば図１（ｂ）の１段目のｂに示されているように、動作モード動作中表示の開始から０．１５秒（０．１５ｓｅｃ）後には（左から２番目、参照）、「１４９」の数値と間隔を介した左隣下側に縦方向の１つの表示用セグメントＳの点灯を行い、次の０．１５秒後には、左から３番目のｃに示されるように、「１４９」の数値と間隔を介した左隣下側に加えて、その上側の縦方向の表示用セグメントＳの点灯を行い、次の０．１５秒後には、これらの表示用セグメントＳの点灯に加えて「１４９」の数値の「１」の左側に隣接する横方向の表示用セグメントＳの点灯を行う（一番右側のｄ、参照）。
【００９４】
なお、本実施例では、前記の如く、数値表示可ブロックＢ２の外周部に配設されている複数の表示用セグメントのうちの隣り合う３つの表示用セグメントＳの点灯や消灯を行うことを基本とするが、図１（ｂ）のｂ、ｃに示されるように、数値表示可ブロックＢ２における数値表示の外周部に最初に点灯する表示用セグメントＳの数は１つ、次は２つとし、その後、３つずつ変化させる。
【００９５】
そして、次の０．１５秒後には、図１（ｂ）の２段目のｅに示されているように、図１（ｂ）のｂで点灯させた縦の１つの表示用セグメントＳの消灯を行うと共に「１４９」の「４」に、上側の横方向の表示用セグメントＳの点灯を行って「９」にする。次の０．１５秒後には、左から２番目のｆに示されるように、左端の縦の表示用セグメントＳと、一の位の「９」の上側で点灯していた横方向の１つの表示セグメントＳを消灯する。次の０．１５秒後には、百の位の「１」の左側に隣接する横方向の表示用セグメントＳと一の位の「９」の右上側で点灯していた縦方向の１つの表示セグメントＳを消灯する（左から３番目のｇ、参照）。
【００９６】
このようにして、図１（ｂ）のａ〜ｎまで順に表示用セグメントＳの点灯と消灯とを行う。なお、ｎでは、ａに示した態様と同様に「１４９」の数値のみが表示される状態を１．２秒保ち、このような動作が繰り返し行われる。
【００９７】
本実施例では、表示用セグメントＳの点灯や消灯は、例えば０．１５秒毎といった速いスピードの変化タイミングで順次行われるものであり、そのようにすることで、動作モード動作中表示は、情報表示手段４２により表示される表示情報の数値（前記の例では「１４９」）を利用者が把握できる形態を維持しながら、数値表示可ブロックＢ２における数値表示の外周部の表示用セグメントＳが数値表示の外周側に沿って時計回りに周回しているように見せかける疑似周回表示態様となるようにする。
【００９８】
また、本実施例では、動作モード情報表示手段４４に疑似周回表示可変手段４５を設けており、この疑似周回表示可変手段４５は、複合給湯器２７によって行われる設定動作が予め定められる設定時間で終了する時限付き動作（例えば前記のような浴室暖房運転におけるタイマー設定時間内の運転動作等）のときには、以下のような動作を行う。
【００９９】
つまり、疑似周回表示可変手段４５は、前記設定時間の経過終了時に近づいて該設定時間経過終了まで予め定められる設定間近時間となった以降に、表示用セグメントＳの変化タイミングをそれまでよりも速める（例えば０．０８秒にする）ことにより、該表示用セグメントＳの変化タイミングを速める前よりも速めてからの方が数値表示の外周部の表示用セグメントＳが前記数値表示の外周側に沿って速く周回しているように見せかける。
【０１００】
なお、本実施例において、浴室暖房運転の残り時間（タイマー設定の残り時間）を示す表示情報の数値である「１４９」の表示は、１分後には「１４８」となり、２分後には「１４７」となる、といったように、例えば１分ごとにカウントダウンしていくが、その数値に対応させて表示用セグメントＳの点灯や消灯を行い、前記のような動作モード動作中表示が行われる。
【０１０１】
本実施例では、以上のように、特徴的な表示構成を有することから、１つの数値表示可ブロックＢ２に、表示情報の数値による表示と動作モード動作中表示とを同時に表示できるので、利用者が表示を見るタイミングによらず両方の表示を把握することができ、装置の大型化を招くこともなく、かつ、非常に使い勝手がよいリモコン装置１を形成できる。
【０１０２】
特に、本実施例では、浴室暖房運転動作において、そのタイマー設定時間の運転動作が終了間近になると数値表示の外周部の表示用セグメントＳが数値表示の外周側に沿って速く周回しているように見えるようにするので、浴室暖房運転動作終了間近であることを利用者に把握させることができる。そして、このように表示構成が優れたリモコン装置１と複合給湯器２７とを信号接続することにより、非常に使い勝手のよい優れた表示システムを実現できる。
【０１０３】
なお、本発明は、前記実施例に限定されるものでなく、本発明の技術的範囲を逸脱しない範囲において様々な態様を採り得る。例えば、前記実施例では、動作モード判断手段４３によって設定動作モードの動作が動作中であると判断されているときに、数値表示可ブロックＢ２の外周部（外周側）に配設されている複数の表示用セグメントＳのうちの隣り合う３つの表示用セグメントＳの点灯や消灯を行うにようにする動作モード動作中表示を行うようにしたが、動作モード動作中表示における表示セグメントＳの点灯や消灯の仕方は特に限定されるものでなく、適宜設定されるものである。
【０１０４】
つまり、動作モード動作中表示は、少なくとも１つの数値表示可ブロックを形成する複数の表示用セグメントのうち１つ以上の表示用セグメントを、情報表示手段４２により表示される表示情報の数値を利用者が把握できる形態を維持しながら変化する予め定められたセグメント点滅変化態様で点滅させる動作であればよい。
【０１０５】
例えば動作モード動作中表示は、図４（ａ）、（ｂ）、図５（ａ）、（ｂ）にそれぞれ示される態様としてもよい。なお、これらの図は、図１（ｂ）と同様に、図に斜線が記された表示用セグメントＳが動作モード動作中表示において点灯していく表示用セグメントＳを示し、図にドットが記された表示用セグメントＳ図１（ｂ）と同様に、消灯を行っていく表示用セグメントＳを示す。また、図４（ｂ）、図５（ａ）では、動作を繰り返す旨が記されていないが、これらの図に示されているような表示を変化させる動作は繰り返し行われる。
【０１０６】
図４（ａ）、（ｂ）に示される態様は、いずれも、数値表示可ブロックＢ２の外周部に配設されている表示用セグメントＳを数値表示可ブロックＢ２の外周方向に順に、数値表示の点灯部位は消灯して消灯部位は点灯する動作を行う動作とするものであり、その点灯や消灯を行う表示用セグメントＳを、図４（ａ）は、数値表示可ブロックＢ２の外周部に配設されている複数の表示用セグメントＳのうちの隣り合う２つの表示用セグメントＳとし、図４（ｂ）は、数値表示可ブロックＢ２の外周部に配設されている複数の表示用セグメントＳのうちの１つの表示用セグメントＳとするものである。
【０１０７】
また、図５（ａ）に示される動作モード動作中表示は、数値表示可ブロックＢ２の外周部に配設されている複数の表示用セグメントＳのうちの１つの表示用セグメントＳを、数値表示の外周方向に順に点灯していく動作とする（図１（ｂ）や図４（ａ）、（ｂ）においては、数値表示を行っている表示用セグメントＳを適宜消灯する動作を行ったが、図５（ａ）はこの動作を行わない）ものである。なお、順次点灯していく表示用セグメントＳには、もともと点灯している表示用セグメントＳを含め、斜線が記されている。
【０１０８】
さらに、図５（ｂ）に示される動作モード動作中表示は、数値表示可ブロックＢ２の左寄りに情報表示の数値「１４９」を表示し、その右側に、表示用セグメントＳを１つずつ点灯していって「０」の数値を形成し、「０」の数値がほぼ形成されたら（ｆに示されるように「０」の上側の横方向の表示用セグメントＳ以外の表示用セグメントＳが点灯されたら）、その「０」を一瞬にして消灯して、再び、数値「１４９」の右側に、表示用セグメントＳを１つずつ点灯していく動作を繰り返すものとしている。
【０１０９】
図４（ａ）、（ｂ）、図５（ａ）に示されるような態様のように、表示情報が表示されている数値表示可ブロックＢ２の少なくとも１つの数値表示可ブロックにおいて外周部に配設されている複数の表示用セグメントＳのうちの１つ又は複数の隣り合う表示用セグメントＳを数値表示可ブロックＢ２の外周方向に順に点灯していく動作と前記数値表示の点灯部位は消灯して消灯部位は点灯する動作を順に行う動作のいずれかの表示用セグメント時系列変化動作を行って疑似周回表示を行うようにすると、図1（ｂ）に示した前記実施例と同様に、前記情報表示を利用者に見やすくすることができて確実に把握できるようにでき、かつ、設定動作モードの動作中であることも非常に分わかりやすくできる。また、図５（ｂ）に示されるように１つの数値「０」が周回するようにしても設定動作モードの動作中であることの表示を分かりやすくできる。
【０１１０】
つまり、図４（ａ）、（ｂ）、図５（ａ）、（ｂ）に示されるような表示態様や図１（ｂ）に示されるような表示態様のような疑似周回表示（図５（ｂ）に示される態様では数値表示可ブロックＢ２の周りではなく、数値表示可ブロックＢ２内の一部の数値「０」の疑似周回表示）の特徴について、図４（ａ）の表示態様を例に挙げて説明すると、以下のようなことが言え、非常に優れた表示態様であることが分かる。すなわち、例えば図４（ａ）において、複数の画面（例えばａ〜ｎの１３種の画面（ａとｎの画面は同種））が流れるように表示され、また、この流れるように点滅する表示用セグメントＳが数値表示の外周側に沿って変化し、周回するように見せかけることができる（疑似周回表示）。
【０１１１】
例えば図４（ａ）のｆと図４（ａ）のｇの表示においては「１４９」の数字の「９」の数字の一番上の横棒を形成するセグメントＳが消灯する（消える）が、図４（ａ）のｈの表示では、すぐに点灯表示に戻る。また、例えば図４（ａ）のＪと図４（ａ）のｋでは「１４９」の数字の「４」の数字の一番下の横棒を形成するセグメントＳが点灯して「４」という数字ではなくなるが、図４（ａ）のｌの表示ですぐに消灯表示に戻るので「４」の数字に見える。
【０１１２】
このような動作の第１の特徴は、複数の表示用セグメントＳにより形成される（図２、参照）数字表示可ブロックＢ（Ｂ１，Ｂ２，Ｂ３等）の画面が、その画面を変化させて流れるように表示され（１つの画面が時系列的に多種の画面の流れによって表示され）、この表示形態において流れるように点滅するセグメントＳが、数字表示可ブロックＢの外周を周回（例えば時計周りに周回表示）または、数字表示可ブロック内を部分的に周回させる（図５（ｂ）の例では「０」の数字を形成する表示用セグメントＳを周回させる）ことにより、あたかも時の流れを感じ、表示されているものが時間に関するものであることを想起させることができる点にある。
【０１１３】
また、前記動作の第２の特徴は、１つ以上のセグメントＳを消灯してもすぐに点灯表示に戻すことで、残像現象により、セグメントが消えていても点灯しているように感じさせ（見せかけ）、消えているセグメントを一瞬だけ点灯させてすぐに消すことで、錯覚（錯視）を用いて点灯時に消灯しているように感じさせる（見えないようにする）ことができる点にある。そして、このようなことから、例えば、図１（ｂ）および、図４（ａ）、（ｂ）、図５（ａ）、（ｂ）に示されるような表示態様は、疑似周回表示（時の流れ）と「１４９」という数字認識の両立を図ることができるといった優れた特徴を有する。
【０１１４】
なお、本発明においては、疑似周回表示を適用する例として、図１（ｂ）や図４、図５以外にも、例えば以下のような表示形態をとることができる。例えば、動作モード動作中表示は、表示情報が表示されている数値表示可表示ブロックの少なくとも１つの数値表示可ブロックにおいて、外周部に配設されている複数（実施例のような場合は１０個）の表示用セグメントＳを一度、全点灯させ、その後、それらの表示用セグメントＳのうちの１つ又は複数の隣り合う表示用セグメントを前記数値表示可ブロックの外周方向に順に消灯していく表示用セグメント時系列変化動作を行って疑似周回表示を行うようにしてもよい。
【０１１５】
さらに、互いに間隔を介して配設された複数の表示用セグメントＳを、数値表示可ブロックの外周方向に順に点灯していく動作と順に消灯していく動作と前記数値表示の点灯部位は消灯して消灯部位は点灯する動作を順に行う動作のいずれかの表示用セグメント時系列変化動作を行う疑似周回表示態様としてもよい。
【０１１６】
さらに、本実施例においては、疑似周回表示態様以外の、例えば複数桁の情報表示数値の間を縫って８の字を描いて変化する（８の字を横向きにした「∞」のような字を描いて変化する）ように見える態様とする等、様々な態様をとることができる。なお、疑似周回表示態様でも８の字を描いて変化するように見える態様でも、その周回していると見えるようにする方向や動いているように見える方向も特に限定されるものではなく適宜設定されるものであり、例えば前記実施例のような疑似周回表示態様において、反時計回りに表示用セグメントＳが周回しているように見える態様としてもよい。
【０１１７】
さらに、以上のような動作モード動作中表示の様々な態様においても、複合給湯器２７によって行われる設定動作が予め定められる設定時間で終了する時限付き動作のときに、設定時間の経過終了時に近づいて設定時間経過終了まで予め定められる設定間近時間となった以降に表示用セグメントＳの変化タイミングをそれまでよりも速めるようにしてもよいし、そのような動作は行わなくともよい。
【０１１８】
さらに、例えば前記実施例のように、複数の数値表示可ブロックＢ１，Ｂ２，Ｂ３を有する構成においては、動作モード情報表示手段による表示用セグメント時系列変化動作は、例えば図６に示されるように、複数の数値表示可ブロックＢ１，Ｂ２，Ｂ３を１つのブロック集合体ＡＢと見なしたときに該ブロック集合体ＡＢにおいて外周部に配設されている複数の表示用セグメントＳ（図６の斜線部分、参照）のうちの、１つ又は複数の隣り合う表示用セグメント又は互いに間隔を介して配設された複数の表示用セグメントを、ブロック集合体ＡＢの外周方向に順に点灯していく動作と順に消灯していく動作と表示情報の数値を形成する表示用セグメントの点灯部位は消灯して消灯部位は点灯する動作を順に行う動作のいずれかの動作としてもよい。なお、図６では、Ｂ２の表示用セグメントＳａ（図２（ｃ）、参照）は省略して示している。
【０１１９】
さらに、動作モード動作中表示が行われる表示用セグメントＳは、前記実施例のように、複合給湯器２７の制御情報のうち複合給湯器２７により行われる設定動作モードの動作に関連する情報が表示されている数値表示可ブロックの表示用セグメントＳを含むようにしたり、動作モード動作の制御に関連しない制御情報と時計情報の少なくとも一方の表示情報が表示されている数値表示可ブロックの表示用セグメントＳを含むようにしたり、適宜設定されるものである。
【０１２０】
さらに、例えば図３の破線に示されるような動作モード効果待機状態判断手段４８を設け、この動作モード効果待機状態判断手段４８が、設定動作モードの動作により予め定められる設定効果が発揮されるまでの待機状態を判断するようにして、動作モード情報表示手段４４が以下のような動作モード動作中表示を行う構成としてもよい。
【０１２１】
つまり、動作モード情報表示手段４４は、前記実施例のように動作モード動作状態判断手段４３により前記設定動作モードの動作の動作中であることが判断されているときに動作モード動作中表示を行う代わりに、動作モード効果待機状態判断手段４８により前記待機状態中であると判断されているときに、動作モード待機中表示を行うようにしてもよい。
【０１２２】
なお、動作モード効果待機状態判断手段４８による前記待機状態の判断の仕方は特に限定されるものでなく適宜設定されるものであり、例えばリモコン装置１の動作操作手段４７による操作情報と、設定関連操作手段４６による設定条件と、複合給湯器２７の動作状態、複合給湯器２７の施工時に入力される条件環境温度等に基づいて、適宜、前記待機中状態を判断する。例えば複合給湯器２７から給湯先までの配管距離、蛇口（給湯栓）の開度等も考慮して、蛇口が開かれてから湯が出始めるまでの時間を求め、給湯栓が開かれてから給湯設定温度の湯が出るまでの待機中状態を判断するといったことが行われる。
【０１２３】
また、動作モード効果待機状態判断手段４８により前記待機状態中であると判断されているときに、動作モード待機中表示を行う場合の表示の仕方も特に限定されるものではなく、適宜設定されるものである。例えば前記実施例における動作モード動作中表示のような表示態様としてもよいし、図４、図５に示されるような表示態様としてもよいし、その他の表示態様としてもよい。いずれの場合も、情報表示手段４２により表示される表示情報の数値を利用者が把握できる形態を維持しながら変化する予め定められたセグメント点滅変化態様で点滅させる表示を行うようにすればよい。
【０１２４】
また、その際、例えば待機状態の期間が終了する時に近づいて該待機時間終了まで予め定められる設定間近時間となった以降に、表示用セグメントＳの変化タイミングをそれまでよりも速める表示可変手段を設け、表示用セグメントＳの変化タイミングを可変すると、表示用セグメントＳの変化タイミング変化を見て、利用者が待機状態の期間が終了間近であることを確認することができ、設定動作モードの動作について、その効果が生じるタイミングを計って準備することができるので、より使い勝手を良好にできる。
【０１２５】
さらに、このような動作モード待機中表示と動作モード動作中表示のどちらの表示を行うかの選択手段を設け、利用者のニーズに対応させて何れかを選択できるようにしてもよいし、動作モード待機中表示の表示態様と動作モード動作中表示の表示態様を互いに異なる態様とし、動作モード待機中表示と動作モード動作中表示との両方を、必要に応じて異なる態様で表示することにより、いずれの表示が行われているかが利用者に把握できるようにしてもよい。
【０１２６】
さらに、前記実施例では、情報表示手段４２により表示される表示情報として、浴室暖房運転の残り時間（タイマー設定の残り時間）を示す表示情報の数値をカウントダウンさせる例を述べたが、情報表示手段４２により表示される表示情報は様々であり、例えば給湯設定温度としてもよいし、時刻情報としてもよいし、故障情報としてもよい。また、複合給湯器２７等の動作装置の動作継続時間を数値のカウントアップにより表示するものとしてもよいし、様々な情報とすることができる。
【０１２７】
さらに、本発明の表示システムに適用される動作装置は前記実施例のような複合給湯器２７とするとは限らず、様々な熱源装置を適用することができるものであり、また、熱源装置以外の、例えばエアコンであったり洗濯機であったりといったような、主に家庭で用いられる家電製品（家電装置）であってもよいし、家庭以外の場所で用いられる装置としてもよく、様々な装置が適用されるものである。
【０１２８】
また、その動作装置に信号接続される表示装置はリモコン装置とは限らず、例えば動作装置の表面側に設けられている表示装置としてもよく、本発明の表示装置は、動作装置の関連情報を表示する表示部を備えて、表示部に複数の表示用セグメントが予め定められた配設位置に配設された表示ブロックが１つ以上設けられている様々な表示装置において適用され、前記のような様々な構成を設けて形成されるものである。
【産業上の利用可能性】
【０１２９】
本発明の表示装置は、動作装置の制御情報に加え、動作モード動作中であること等を同時に利用者によって把握できる表示装置であり、本発明の表示システムは、その表示装置を用いた表示システムとすることができるので、例えば家庭用の熱源装置に信号接続されるリモコン装置や熱源システム等として利用できる。
【符号の説明】
【０１３０】
１                リモコン装置
２                給湯回路
１２              暖房回路
１３              暖房用バーナ
１４，１５        暖房用熱交換器
２７              複合給湯器
４１，５０        制御装置
４２              情報表示手段
４３              動作モード判断手段
４４              動作モード情報表示手段
４５              疑似周回表示可変手段
４６              設定関連操作手段
４７              動作操作手段
４８              動作モード効果待機状態判断手段
Ｂ１，Ｂ２，Ｂ３    表示ブロック
Ｓ                表示用セグメント
【図１】
0006584242.tif 000002
【図２】
0006584242.tif 000003
【図３】
0006584242.tif 000004
【図４】
0006584242.tif 000005
【図５】
0006584242.tif 000006
【図６】
0006584242.tif 000007
【図７】
0006584242.tif 000008
【図８】
0006584242.tif 000009